(57)【要約】【課題】  左右総腸骨動脈を造影する際に、ガイドワイヤを再挿入してガイドワイヤを先行させることなく、カテーテルを動かすことができる血管造影カテーテルを提供する。【解決手段】   先端に設けられたＪ形状カーブ部２２と、Ｊ形状カーブ部２２より基端側に設けられたアングル２４と、Ｊ形状カーブ部２２とアングル２４との間に設けられた直線部２３とを有し、直線部２３に柔軟性変更点２６が設けられ、Ｊ形状カーブ部２２を含む柔軟性変更点２６より先端側は、基端側より柔軟であることを特徴とする血管造影用カテーテル１。【特許請求の範囲】
【請求項１】
腕の動脈から導入し、大動脈弓・腹部大動脈を経由して総腸骨動脈に挿入されるカテーテルであり、該カテーテルは先端部と基端部および該先端部と該基端部との間に内腔を有するカテーテル本体と、該カテーテル本体部の基端部に設けられたハブとを有し、該カテーテルは本体部の先端に設けられたＪ形状カーブ部と、該Ｊ形状カーブ部より基端側に設けられた湾曲部と、前記Ｊ形状カーブ部と前記湾曲部との間に設けられた直線部とを有し、かつガイドワイヤを該カテーテル本体部の該内腔に挿入したとき、該Ｊ形状カーブ部と該湾曲部は、ほぼ直線状に開く柔軟性を有し、さらに、前記直線部に柔軟性変更点が設けられ、前記Ｊ形状カーブ部を含む前記柔軟性変更点より先端側は、基端側より柔軟であることを特徴とする血管造影用カテーテル。
【請求項２】
該Ｊ形状カーブの曲率半径は少なくとも総腸骨動脈の半径より小さく、総腸骨動脈内部でＪ形状が維持され得る寸法を有することを特徴とする請求項１に記載の血管造影用カテーテル。
【請求項３】
前記湾曲部より先端側に少なくとも１つ以上の側孔を有することを特徴とする請求項１または２に記載の血管造影用カテーテル。
【請求項４】
該側孔は該Ｊ形状カーブ部上の半径方向外側曲面にあることを特徴とする請求項３に記載の血管造影用カテーテル。
【請求項５】
該側孔は前記柔軟性変更点の近辺にあることを特徴とする請求項３に記載の血管造影用カテーテル。
【発明の詳細な説明】
【技術分野】
【０００１】
本発明は、腕の動脈から挿入し、左右総腸骨動脈までの区間へ導入されるカテーテルに関する。
【背景技術】
【０００２】
血管内治療をする前に、カテーテルを用いた血管の診断が行われている。カテーテルを用いる診断は、患者の血管に形成された穿刺孔からカテーテルを導入することによって行われるが、近年では患者に対する負担を軽減するため、腕からカテーテルを導入することが多くなってきている。
【０００３】
特に診断対象部位が左右総腸骨動脈の場合、当該部位にＸ線造影剤を注入すべく、カテーテルを腕から、シースを介して導入するに際して、従来においては、血管壁に傷をつけないようにガイドワイヤをカテーテル内に挿入し、カテーテル先端からガイドワイヤを出して血管内を進めていた。例えば、先ず右総腸骨動脈を造影するには、当該部位までカテーテルを導入してからガイドワイヤを抜き、ハブに造影剤を注入するために活栓や装置を接続し、造影剤を注入する。
【０００４】
次に左総腸骨動脈を造影する場合には、ハブから一旦造影剤を注入するための活栓や装置を外した後、再びハブからガイドワイヤを挿入し、カテーテルを一度引き戻してから、左総腸骨動脈へ導入し、ガイドワイヤを抜き、再び装置や活栓を接続して、造影剤を注入していた。
【０００５】
また、太い血管を造影する場合、視認性を考慮して造影剤を多く注入するため、カテーテル先端から造影剤が噴出されるタイプのカテーテルでアングルが設けられている場合は、高い圧力で噴出される造影剤が直接血管壁に当たる為、当該部位に好ましくない影響を与えるおそれがあった。
【発明の開示】
【発明が解決しようとする課題】
【０００６】
上記従来のカテーテルにおいては、ガイドワイヤを先行させるが、造影するときはガイドワイヤを抜く必要がある。そのため、カテーテルを移動させて別の部位を造影する場合には、造影のための器具を一旦外して再度ガイドワイヤを挿入することとなる。
【０００７】
この動作はガイドワイヤの抜き差しだけでなく、ハブに接続されている装置や活栓等の取り外し動作も含まれるため、手術時間がかかり、術者にとってストレスになることもある。
【０００８】
さらに、太い血管での造影では十分な視認性を確保するため、大量の造影剤を注入する必要がある。
【０００９】
本発明は、左右総腸骨動脈造影等、複数の血管を造影するために、造影とカテーテルの移動を交互に行う場合に、ガイドワイヤを挿入しなくても短時間で先端部分の位置を変えることを可能とし、さらに造影剤を診断したい部分に注入する際に、血管壁に悪影響を与えず、過剰な量の造影剤を使用することなく、安全に造影できる血管造影用カテーテルを提供することを目的とする。
【課題を解決するための手段】
【００１０】
このような本発明の目的は、以下の（１）〜（５）によって達成される。
【００１１】
（１）腕の動脈から導入し、大動脈弓・腹部大動脈を経由して総腸骨動脈に挿入されるカテーテルであり、該カテーテルは先端部と基端部および該先端部と該基端部との間に内腔を有するカテーテル本体と、該カテーテル本体部の基端部に設けられたハブとを有し、該カテーテルは本体部の先端に設けられたＪ形状カーブ部と、該Ｊ形状カーブ部より基端側に設けられた湾曲部と、前記Ｊ形状カーブ部と前記湾曲部との間に設けられた直線部とを有し、かつガイドワイヤを該カテーテル本体部の該内腔に挿入したとき、該Ｊ形状カーブ部と該湾曲部は、ほぼ直線状に開く柔軟性を有し、さらに、前記直線部に柔軟性変更点が設けられ、前記Ｊ形状カーブ部を含む前記柔軟性変更点より先端側は、基端側より柔軟であることを特徴とする血管造影用カテーテル。
【００１２】
（２）該Ｊ形状カーブの曲率半径は少なくとも総腸骨動脈の半径より小さく、総腸骨動脈内部でＪ形状が維持され得る寸法を有することを特徴とする上記（１）に記載の血管造影用カテーテル。
【００１３】
（３）前記湾曲部より先端側に少なくとも１つ以上の側孔を有することを特徴とする上記（１）または（２）に記載の血管造影用カテーテル。
【００１４】
（４）該側孔は該Ｊ形状カーブ部上の半径方向外側曲面にあることを特徴とする上記（３）に記載の血管造影用カテーテル。
【００１５】
（５）該側孔は前記柔軟性変更点の近辺にあることを特徴とする上記（３）に記載の血管造影用カテーテル。
【発明の効果】
【００１６】
本発明によれば、血管造影用カテーテルの先端付近にＪ形状カーブ部を付与したので、カテーテル内部にガイドワイヤを挿入しなくても、最先端が血管壁に接触せずに、カテーテルを動かすことができる。さらに当該部分は柔軟な樹脂で作成されているので、血管壁に対して傷つけにくい。
【００１７】
また、Ｊ形状カーブの基部側にアングルを付与したことにより、カテーテル内部のガイドワイヤを先行させることなく、カテーテルにトルクをかけることにより、血管の選択をすることができる。
【００１８】
加えて、先端からアングルまでの間に側孔を設けてあるので、造影剤を目的部位に集中して噴射することができ、少量の造影剤で十分なＸ線造影を行うことができる。
【発明を実施するための最良の形態】
【００１９】
以下、本発明の実施形態につき、図面に基づいて説明する。
【００２０】
図１は、本発明の血管造影用カテーテル（以下単にカテーテルと称す）の外観図であり、図２は図１のカテーテルの内部構造を示す断面図である。なお、図２においては、内部構造への理解を助けるため、カテーテルの湾曲を省略し、直線状に示している他、寸法の比率も実際のものとは異なる。
【００２１】
図１に示されるカテーテル１は、外径が１．０〜２．０ｍｍ、内径が０．７〜１．７ｍｍ、有効長が１０００〜１５００ｍｍの管状に成形された樹脂製の本体２と、本体２の基端に接合した、造影剤注入器などを接続するためのハブ３とからなり、本体２の先端部にはＪ形状カーブ部２２が設けられ、続いて直線部２３、湾曲部であるアングル２４が形成されている。また、アングル２４より基端側は本体直線部２５が形成されている。
【００２２】
カテーテル１は、直線部２３の中間部分に、柔軟性変更点２６を有する。図２に示されるように、柔軟性変更点２６より基端側の基端側本体部１０は、内層１１、中間層１２、外層１３からなる３層構造で、比較的剛性が高く、柔軟性変更点２６より先端側の先端側本体部１４は、基端側本体部１０よりも柔軟な単一材料から構成されており、この部分がＪ形状カーブ部２２を構成する。先端側本体部１４の更に先端には、先端側本体部１４より更に柔軟な先端柔軟チップ１５が設けられている。また、カテーテル１の内部には、末端２１から基端のハブ３まで錬通する管腔１６が設けられている。
【００２３】
具体的には、基端側本体部１０の内層１１は、ナイロン１２やＰＴＦＥのような、比較的剛性が高く、かつ摺動性の高い材料で構成されるのが望ましい。また、中間層１２は、内層１１と同一の樹脂に１０〜４０本程度の金属線を筒状に編んだ編組体を埋め込んだものからなる。金属線としてはステンレス合金線が好ましい。外層１３は、内層１１と同一の樹脂か、または内層１１と相溶性があり、かつ比較的柔軟な樹脂が用いられる。具体的には内層１１および中間層１２に用いられる樹脂をナイロン１２とし、外層１３をポリアミドエラストマー単体、またはナイロン１２とポリアミドエラストマーとのブレンドとするのが望ましい。
【００２４】
先端側本体部１４としては、基端側本体部１０よりも柔軟性が高い樹脂として、ポリアミドエラストマーが望ましい。また、先端柔軟チップとしては、先端側本体部１４よりも更に柔軟なポリウレタンエラストマー等が好適に用いられる。
【００２５】
上述したこれらの各樹脂材料には、３０〜６０質量％程度のＸ線不透過粒子が混合されるのが望ましい。Ｘ線不透過粒子としては、具体的には硫酸バリウム、タングステン、酸化ビスマスが挙げられる。このようなＸ線不透過粒子を含む事により、血管内でのカテーテル１状態をＸ線透過画像中で確認することが可能となる。
【００２６】
図３は、カテーテル１の先端部分の形状について詳細に説明するための図である。図３に示されるように、Ｊ形状カーブ部２２の曲率半径は、カテーテルの外側の最も大きい位置を基準として、右総腸骨動脈の内径半径よりも小さい１．５〜３ｍｍであり、１６０〜２００°の円弧部分を有する。さらに、Ｊ形状カーブ部２２から基部側に直線部２３が５０〜１００ｍｍ設けられ、直線部２３の基端に１０〜３０°に屈曲されたアングル２４が形成されている。
【００２７】
また、Ｊ形状カーブ部２２の頂点部分には単一の側孔２７が、直線部２３上の柔軟性変更点２６付近には、側孔群２８が設けられている。なお、側孔のサイズはいずれも直径約０．４〜０．８ｍｍである。側孔群２８は先端２１から約２５ｍｍ〜３５ｍｍの区間に１．５ｍｍ程度の間隔で４つ設けられており、その並び方は螺旋状に配置されている。
【００２８】
次に、図４〜図７を使用して、本発明のカテーテル１を手首の橈骨動脈から腰部に位置する総腸骨動脈へ挿入する様子を説明する。図４は、人体における主な動脈の配置を説明する図である。図４において、４０は心臓を示し、４１は橈骨動脈、４２は大動脈弓、４３は腹部大動脈、４４は右総腸骨動脈、４５は左総腸骨動脈を示すものである。
【００２９】
まず、図５に示すように、橈骨動脈４１に血管へのアクセスポートを確立する。具体的には、図示しない注射針等を橈骨動脈４１へ刺し入れ、この注射針を図示しない専用のガイドワイヤと入れ替えた後、ガイドワイヤに沿わせて比較的長さの短いイントロデューサシース５１を導入する。イントロデューサシース５１には管腔路内に図示しない弁が設けられており、ガイドワイヤやカテーテル１の通過を許容するが、血液が体外に漏れ出すことは防止する。図示しないガイドワイヤは、イントロデューサ５１導入用の短いものであるため、これを抜去し、次いで、別途用意される血管造影カテーテル用のガイドワイヤ５０をカテーテル１の管腔内に導入したものを準備し、イントロデューサシース５１に挿入し、そのまま橈骨動脈４１より更に深部の血管内に導入する。
【００３０】
Ｊ形状カーブ部２２はガイドワイヤ５０を挿入すると、Ｊ形状が伸ばされて直線状になる程度の柔軟性を有するため、通常の方法でガイドワイヤにて血管の分岐を選択して、カテーテル１を進めることが出来る。
【００３１】
図６は、橈骨動脈４１から挿入されたカテーテル１およびガイドワイヤ５０が、腕頭動脈を経由し、大動脈弓４２へ侵入し、更に腹部大動脈へ向かっている様子を示している。なお、この説明では、右腕の橈骨動脈４１から導入した例を説明しているため、腕頭動脈から腹部大動脈にかけてカテーテル１が伸びているが、左腕から導入した場合には、左鎖骨下動脈から腹部大動脈にかけてカテーテル１が伸びることとなる。
【００３２】
カテーテル１の先端部が、腹部大動脈４３を通過して、図７に示す右総腸骨動脈４４に到達すると、ガイドワイヤ５０を抜く。Ｊ形状カーブ部２２の外径は、総腸骨動脈の内径よりも小さく設定されているので、ガイドワイヤ５０を抜去することに伴い、カテーテル１の先端は、図７に示すようにＪ形状に復帰する。なお、総腸骨動脈の内径は、一般に      ８ｍｍ〜１２ｍｍ程度である。
【００３３】
図７の位置に配置することが出来たら、ハブ３にＸ線造影剤を注入するため、図示しないシリンジのポートを接続し、Ｘ線造影剤を注入する。図７に示される複数の矢印は注入されたＸ線造影剤の方向を示している。
【００３４】
総腸骨動脈は太いため、Ｘ線画像下における視認性を考慮して、造影剤は比較的高圧で噴出されるが、本カテーテル１では末端２１がカテーテル１の軸方向基端側を向くように構成されているため、血管壁の方向を向いておらず、造影剤噴出時に、血管壁を傷つけないよう配慮されている。さらに、側孔２７，２８からも造影剤が噴出するため、造影剤はこの付近全体に分散して噴出される。
【００３５】
このようにして血管走行を確認する診断を行った後、次に左総腸骨動脈４５へカテーテル１を移動する。この時、カテーテル１に再度ガイドワイヤ５０を挿入しなくても、Ｊ形状カーブ部２２の曲率半径は総腸骨動脈の半径より小さいため、血管壁には円弧部分があたり、あたかもガイドワイヤが挿入されているかのように、末端２１が血管壁に直接接触することが防止される。
【００３６】
また、一度腹部大動脈４３内に引き戻したカテーテル１を左総腸骨動脈４５へ進める際には、血管の分岐を選択しなければならないが、アングル２４が設けてあるため、図８に示すようにカテーテル１にトルクをかけて回転させると、ガイドワイヤで血管を選択するときと同様の操作で、カテーテル１の進行方向を選択することが出来る。ここで、アングル２４は、剛性の高い基端側本体部１０によって構成されているため、トルクをしっかりと伝達することができる。
【００３７】
このようにして、ガイドワイヤを再度挿入することなく、カテーテル１を左総腸骨動脈４５へ移動することができるので、ハブ３への造影剤ポートの脱着も省くことが可能となり、手術時間の短縮及び術者のストレス軽減を図ることができる。
【００３８】
また、本発明は、以上の実施形態に限定されるものではない。例えば、造影剤を噴射する側孔は、Ｊ形状カーブ部２２には無くても良く（側孔２７）、直線部２３上の区間だけに設けてもよい（側孔２８だけでもよい）。また側孔２８は４つだけでなく、数十個程度まで増やしたり、さらに適宜配置を変えることも可能である。
【００３９】
加えて、カテーテル１におけるＪ形状カーブ部の曲率半径や内外径、有効長等の各種寸法は、実施形態に挙げた値が好ましいが、これに限定されることはなく、患者の体格や対象となる分岐のある血管に合わせて、適宜設定することが可能である。
【００４０】
また、カテーテル１本体の構造や素材は、上述した樹脂と金属ブレードの組み合わせに限られず、樹脂のみで構成させるなど、選択することができる。
【実施例】
【００４１】
下記条件の血管造影用カテーテル（図１〜図３に示すもの）を作製した。
【００４２】
全長：１２００ｍｍ
外径：１．４ｍｍ
内径：１．１ｍｍ
肉厚：０．１５ｍｍ
Ｊ形状カーブ部２２の曲率半径：２ｍｍ
Ｊ形状カーブ部２２の円弧角：１８０°
直線部２３の長さ：８０ｍｍ
先端側本体部１４の長さ：２５ｍｍ
基端側本体部１０の長さ：１１７５ｍｍ
アングル２４の角度：２０°
側孔２７，２８の直径：０．６５ｍｍ
先端柔軟チップ１５の材質：硫酸バリウム配合のポリウレタンエラストマー
先端側本体部１４の材質：酸化ビスマス配合のポリアミドエラストマー
外層１３の材質：酸化ビスマス配合のポリアミドエラストマー
中間層１２の材質：酸化ビスマス配合のナイロン１２にステンレス線編組体を埋め込んだもの
内層１１の材質：酸化ビスマス配合のナイロン１２
【図面の簡単な説明】
【００４３】
【図１】本発明の血管造影用カテーテル１の全体図である。
【図２】カテーテル１の断面図である。
【図３】カテーテル１の先端部の拡大図である。
【図４】人体における主な動脈の配置を説明する図である。
【図５】腕の橈骨動脈にかてーてる１を導入する様子を説明する図である。
【図６】カテーテル１が大動脈弓を通過する様子を説明する図である。
【図７】カテーテル１を右総腸骨動脈に配置し、Ｘ線造影剤を注入した状態を説明する図である。
【図８】カテーテル１を左総腸骨動脈に挿入するために回転させる様子を説明する図である。
【符号の説明】
【００４４】
１・・カテーテル
２１・・末端
２２・・Ｊ形状カーブ部
２３・・直線部
２４・・アングル
２５・・本体直線部
２６・・柔軟性変更点
２７、２８・・側孔
３・・ハブ
【図１】
2005152145.tif 000002
【図２】
2005152145.tif 000003
【図３】
2005152145.tif 000004
【図４】
2005152145.tif 000005
【図５】
2005152145.tif 000006
【図６】
2005152145.tif 000007
【図７】
2005152145.tif 000008
【図８】
2005152145.tif 000009